(57)【要約】【課題】屋根を容易に且つ断熱性がよいように葺くことができるばかりでなく、吸熱板、特にソーラーヒーター、例えば太陽エネルギー熱湯器の吸熱板としても利用されうる屋根舗装材を提供する。【解決手段】吸熱性質の良い一対の板材３１を、これらの間に隙間３１６が形成されるように上下に配置すると共にそれらの周縁が互いに密着するように並設結合されてなったものであって、一対の板材３１の少なくとも一方に、内から外へ突出する連続的な突起３２を設け、この突起３２により隙間３１６内に、上下の高さが他の部分の上下の高さより大きいうえ、その両端が周縁に開口３１４した案内水路３２１を形成する。【選択図】図１
0003118914.tif 000002
【実用新案登録請求の範囲】
【請求項１】
吸熱性質の良い一対の板材を、これらの間に隙間が形成されるように上下に配置すると共にそれらの周縁が互いに密着するように並設結合されてなったものであって、前記一対の板材の少なくとも一方に、内から外へ突出する連続的な突起を設け、この突起により前記隙間内に、上下の高さが他の部分の上下の高さより大きいうえ、その両端が前記周縁に開口した案内水路を形成したことを特徴とする屋根舗装材。
【請求項２】
前記隙間内の前記案内水路を除く部分には、前記一対の板材の少なくとも一方に、外から内へ突出し、他の板材と密着する複数の突起を設けることにより、複数の互いに連通している分岐水路が形成されていることを特徴とする請求項１に記載の屋根舗装材。
【請求項３】
矩形であって、前記案内水路の両端が一対の対向辺にそれぞれ開口し、且つ、他の一対の対向辺にそれぞれ他の屋根舗装材と連結するための連結手段が形成されていることを特徴とする請求項２に記載の屋根舗装材。
【請求項４】
前記連結手段は、前記他の一対の対向辺に沿って円弧形に突出し、且つ、複数の通孔が開設されており、
それにより、他の屋根舗装材の連結手段と上下に互いに重なるうえ、ボルトナットにより連結固定できることを特徴とする請求項３に記載の屋根舗装材。
【請求項５】
請求項４に記載の屋根舗装材をユニットとし、前記案内水路の前記一対の対向辺にある開口と他の屋根舗装材の案内水路の開口とを連結し、前記他の一対の対向辺にある連結手段と他の屋根舗装材の連結手段とを連結することにより、屋根表面に一度に敷設され、前記案内水路の残っている開口の少なくとも一つが注水の入り口とされ、他の少なくとも一つが注水の出口とされ、それにより屋根の太陽からの受熱が除去されうることを特徴とする屋根舗装材アセンブリー。
【請求項６】
請求項５に記載の屋根舗装材アセンブリーが屋根表面に舗装されるうえ、該アセンブリーより高いところに、そのより高い箇所に熱湯供給口が設置してある貯水タンクが設置され、また、前記注水の入り口として前記アセンブリーのより低い所にある前記開口、前記注水の出口として前記アセンブリーのより高い所にある前記開口がそれぞれ選らばれ、そして、前記注水の出口が更に前記貯水タンクのより低い箇所に連通されるようになっており、
それにより、水が前記注水の入り口から押し入れられると、前記アセンブリーを経由しながら太陽からのエネルギーを吸収した後、前記注水の出口を経由して前記貯水タンクに入ってから貯蔵され、または引き続いて前記熱湯供給口から熱湯を供給できることを特徴とする太陽エネルギー熱湯器。
【考案の詳細な説明】
【技術分野】
【０００１】
本考案は屋根舗装材並びにそのアセンブリー及びそれによる太陽エネルギー熱湯器に関する。
【背景技術】
【０００２】
一般的に、建物の屋根舗装材としては、陶器瓦、窯業瓦、金属板などが広く使われている。しかし、亜熱帯の台湾などでは、前記いずれかの屋根舗装材が葺かれても、夏季には、日差しによる高熱がどんどん入り、特に屋根の直下にある部屋には、いくら冷房を大きく流しても、エネルギーの浪費ばかりになり、なんにも役に立たない。
【０００３】
ところで、省エネルギーのためにソーラーヒーターの開発が盛んになっているが、ソーラーヒーターの吸熱板としても一般の屋根舗装材としても両方にも有効に利用されうるものが今までもない現状である。
【考案の開示】
【考案が解決しようとする課題】
【０００４】
前記に鑑みて、本考案は、屋根を容易に且つ断熱性がよいように葺くことができるばかりでなく、吸熱板、特にソーラーヒーター、例えば太陽エネルギー熱湯器の吸熱板としても利用されうる屋根舗装材を提供しようとすることを課題とする。
【０００５】
即ち、本考案は、まず、屋根を葺いたり、ソーラーヒーターの吸熱板とされうる屋根舗装材を提供することをその目的とする。
そして、本考案は、前記屋根舗装材を使用し、ソーラーヒーターの吸熱板とされうる屋根舗装材アセンブリーを提供することをそのもう一つの目的とする。
そしてまた、本考案は、前記屋根舗装材アセンブリーを使用し、ソーラーヒーター、特に太陽エネルギー熱湯器を提供することをその更なる目的とする。
【課題を解決するための手段】
【０００６】
考案者が前記目的を達成するために研究に研究を重ねて最後に提供した屋根舗装材は、吸熱性質の良い一対の板材を、これらの間に隙間が形成されるように上下に配置すると共にそれらの周縁が互いに密着するように並設結合されてなったものであって、前記一対の板材の少なくとも一方に、内から外へ突出する連続的な突起を設け、この突起により前記隙間内に、上下の高さが他の部分の上下の高さより大きいうえ、その両端が前記周縁に開口した案内水路を形成したことを特徴とするものである。
【０００７】
前記屋根舗装材の実施形態として、前記隙間内の前記案内水路を除く部分には、前記一対の板材の少なくとも一方に、外から内へ突出し、他の板材と密着する複数の突起を設けることにより、複数の互いに連通している分岐水路が形成されているものが挙げられる。
【０００８】
また、矩形であって、前記案内水路の両端が一対の対向辺にそれぞれ開口し、且つ、他の一対の対向辺にそれぞれ他の屋根舗装材と連結するための連結手段が形成されているものも挙げられる。
【０００９】
そしてまた、前記連結手段は、前記他の一対の対向辺に沿って円弧形に突出し、且つ、複数の通孔が開設されており、それにより、他の屋根舗装材の連結手段と上下に互いに重なるうえ、ボルトナットにより連結固定できるものも挙げられる。
【００１０】
前記屋根舗装材の構造及びその形態に基づき、本考案における屋根舗装材アセンブリーは、前記屋根舗装材をユニットとし、前記案内水路の前記一対の対向辺にある開口と他の屋根舗装材の案内水路の開口とを連結し、前記他の一対の対向辺にある連結手段と他の屋根舗装材の連結手段とを連結することにより、屋根表面に一度に敷設され、前記案内水路の残っている開口の少なくとも一つが注水の入り口とされ、他の少なくとも一つが注水の出口とされ、それにより屋根の太陽からの受熱が除去されうることを特徴とするものとされうる。
【００１１】
さらに、本考案における前記太陽エネルギー熱湯器は、前記屋根舗装材アセンブリーが屋根表面に舗装されるうえ、該アセンブリーより高いところに、そのより高い箇所に熱湯供給口が設置してある貯水タンクが設置され、また、前記注水の入り口として前記アセンブリーのより低い所にある前記開口、前記注水の出口として前記アセンブリーのより高い所にある前記開口がそれぞれ選らばれ、そして、前記注水の出口が更に前記貯水タンクのより低い箇所に連通されるようになっており、それにより、水が前記注水の入り口から押し入れられると、前記アセンブリーを経由しながら太陽からのエネルギーを吸収した後、前記注水の出口を経由して前記貯水タンクに入ってから貯蔵され、または引き続いて前記熱湯供給口から熱湯を供給できることを特徴とするものともされうる。
【考案の効果】
【００１２】
前記構成による屋根舗装材では、屋根の上面に前記のような屋根舗装材アセンブリーを組み合わせることができるうえ、更に貯水タンクと併せて前記のような太陽エネルギー熱湯器を組み立てることができるので、屋根の有効な断熱を奏することができるばかりでなく、屋根にかかる太陽熱を利用し、熱湯を産出することもできる。
【考案を実施するための最良の形態】
【００１３】
以下、図面を参照しながら本考案の屋根舗装材並びそのアセンブリー及びそれによる太陽エネルギー熱湯器を詳細に説明する。
【００１４】
本考案の屋根舗装材３は、図１に示すように、吸熱性質の良い一対の板材３１を、これらの間に隙間３１６（図２も参照）が形成されるように上下に配置すると共にそれらの周縁が互いに密着するように並設結合されてなったものである。ここで、本実施形態では、周縁とは、一対の第１の対向辺３１３と他の一対の第２の対向辺３１１とからなるものをいう。この実施形態では、隙間内３１６には、一対の板材３１のうち、上側の板材３１には、一対の対向辺３１３，３１３にかけて内から外へ突出する連続的な突起３２が形成され、この突起３２により、隙間３１６の上下の高さが他の部分の上下の高さより大きいうえ、その両端が前記周縁（この実施形態では対向辺３１３）に開口３１４した案内水路３２１が形成されている。尚、本実施形態では、案内水路３２１は、隙間３１６内に直線状に設けているが、湾曲状に設けても良い。
【００１５】
また、隙間３１６内の案内水路３２１を除く部分には、一対の板材３１のうち、上側の板材３１に、外から内へ突出し、下側にある板材３１と密着する複数の突起３３を設けることにより、複数の互いに連通している分岐水路が形成されている。
【００１６】
この実施形態では、屋根舗装材３は矩形であって、案内水路３２１の両端がその一対の対向辺３１３にそれぞれ開口３１４し、且つ、その他の一対の対向辺３１１にそれぞれ他の屋根舗装材３と連結するための連結手段３４が形成されている。この実施形態では、案内水路３２１は、丁度他の一対の対向辺３１１と平行するように位置されている。
【００１７】
連結手段３４をもっと詳しく説明すると、この連結手段３４は、一対の対向辺３１１に沿って円弧形に突出し、且つ、それに複数の通孔が開設されている。それにより、他の屋根舗装材３の連結手段３４と上下に互いに重なるうえ、ボルトナット３４３により連結固定することができる。
【００１８】
この実施形態の屋根舗装材３を複数組み合わせてなる屋根舗装材アセンブリーは、図２および図３のように、屋根舗装材３をユニットとする。そして、縦には、配管用の金具３１５などを使用して、案内水路３２１の一対の対向辺３１３にある開口３１４と、他の屋根舗装材３の案内水路３２１の開口３１４とを連結する。また、横には、ボルトナット３４３を使用して、他の一対の対向辺３１１にある連結手段３４と、他の屋根舗装材３の連結手段３４とを連結する。これにより、屋根６表面に傾斜するように一度に敷設することができる。また、この実施形態では、図５に示すように、案内水路３２１において、残っているより低い開口３４１ａ、即ち、下端に位置する屋根舗装材３の開口３４１ａが注水の入口とされ、より高い開口３１４ｂ、３１４ｂ、即ち、上端に位置する屋根舗装材３の開口３１４ｂ、３１４ｂが注水の出口とされている。それにより、屋根６の太陽からの受熱が注水に除去（吸熱）されうる。尚、前記屋根舗装材アセンブリーを舗装しようとする場合、必要に応じて屋根舗装材３と屋根６との間にクッション材６１を介して行われる。
【００１９】
前記屋根舗装材アセンブリーが屋根６表面に舗装されるうえ、前記注水のために、該アセンブリーより高いところに貯水タンク５が設置された方が良い。図４および図５に示されているものはその例であるが、図示のように、該貯水タンク５のより高い箇所には出口、より低い所には入口がそれぞれ設置され配管されているので、該出口が熱湯を供給する熱湯供給口５１となり、該入口が前記開口３１４ｂ、３１４ｂと連通して前記屋根舗装材アセンブリーからの熱湯を受けて貯水タンク５に貯蔵するための受け口となり、全体が太陽エネルギー熱湯器となっている。即ち、該太陽エネルギー熱湯器は、水が前記注水の入り口（開口３１４ａ）から押し入れられると、前記アセンブリーを経由しながら太陽からのエネルギーを吸収した後、注水の出口（３１４ｂ、３１４ｂ）を経由して貯水タンク５に入ってから貯蔵され、または引き続いて熱湯供給口５１から熱湯を供給する。
【００２０】
以上のように、本考案による屋根舗装材は、断熱性が良く、施工性にも優れているので、直接屋根に一度に舗装され、一般の屋根としては当然で、太陽エネルギー熱湯器の吸熱板としても利用されうる。
【図面の簡単な説明】
【００２１】
【図１】本考案の好適な実施形態の屋根舗装材の斜視図。
【図２】本考案の好適な実施形態の屋根舗装材アセンブリーの一部断面図。
【図３】前記屋根舗装材アセンブリーが建物の表面に敷設されている状態を示す側面断面図。
【図４】前記屋根舗装材アセンブリーを貯水タンクと併せて組み立ててなった太陽エネルギー熱湯器を示す斜視図。
【図５】図４の太陽エネルギー熱湯器を屋根の上から見た平面面。
【符号の説明】
【００２２】
３…舗装材
３１…板材
３２…突起
３３…突起
３４…連結手段
３１１…他の一対の対向辺
３１３…一対の対向辺
３１４…開口
３１４ａ…屋根舗装材アセンブリーの注水の入口
３１４ｂ…屋根舗装材アセンブリーの注水の出口
３１５…配管用の金具
３１６…隙間
３２１…案内水路
３４３…ボルトナット
５…貯水タンク
５１…熱湯供給口
６…屋根
６１…クッション材
【図１】
0003118914.tif 000003
【図２】
0003118914.tif 000004
【図３】
0003118914.tif 000005
【図４】
0003118914.tif 000006
【図５】
0003118914.tif 000007